(57)【要約】【課題】  糸巻きの緩みを、確実に防止できるよう形成した三味線の糸巻きの緩み止め構造を提供する。【解決手段】  糸巻き１の先端の側からネジ２を糸巻き１の軸方向に沿って締め込んで棹３に糸巻き１を固定する、三味線４の糸巻き１の緩み止め構造である。糸巻き１の先端の側に、糸巻き１の軸方向に沿って棒状のナット５を埋め込む。上記のネジ２が、ネジ頭２ａの内側にクッション部６を備える。このクッション部６を介してネジ２を、上記のナット５に締め込み、棹３の外側面部にネジ頭２ａを密着させる。【選択図】  図１
0003179173.tif 000002
【実用新案登録請求の範囲】
【請求項１】
糸巻きの先端の側からネジが糸巻きの軸方向に沿って締め込まれて棹に糸巻きが固定される三味線の糸巻きの緩み止め構造であって、糸巻きの先端の側に、糸巻きの軸方向に沿って棒状のナットが埋め込まれ、上記のネジがネジ頭の内側にクッション部を備え、このクッション部を介してネジが棹の外側面部にネジ頭を密着させて上記のナットに締め込まれることを特徴とする三味線の糸巻きの緩み止め構造。
【請求項２】
請求項1記載の三味線の糸巻きの緩み止め構造であって、クッション部の弾性が調節可能に形成されていることを特徴とする三味線の糸巻きの緩み止め構造。
【請求項３】
請求項２記載の三味線の糸巻きの緩み止め構造であって、クッション部が、ネジ頭の内面側に配置されるバネと、このバネの弾発力を受ける座金状の受け板と、ネジの軸に螺合され、受け板をネジの軸に沿って移動させてバネの弾発力を調節するためのナット状部材とで形成されていることを特徴とする三味線の糸巻きの緩み止め構造。
【考案の詳細な説明】
【技術分野】
【０００１】
本考案は、三味線に関し、更に詳しくは三味線の糸巻きの緩みを防止できるよう形成した三味線の糸巻きの緩み止め構造に関するものである。
【背景技術】
【０００２】
三味線の糸巻きは、通常、棹の穴に差し込まれただけで止まっている。そのため、三味線は、使用するのに連れ、糸巻きが摩耗して穴の内面と糸巻きとの間に隙間が生じ、糸巻きの止まりが悪くなって演奏中、糸巻きが滑って糸が緩んでしまう、という問題がある。
【０００３】
この種の問題を解消する従来品としては、例えば特許文献１に記載の発明がある。
この従来技術は、糸巻きの先端にボルトを締め込み、糸巻きを棹の穴に引き寄せ、糸巻きと穴のテーパー面との摩擦抵抗を高めて糸巻きの緩みを防止する構造である。
【０００４】
而して、特許文献１に記載の従来技術は、ボルトの締め付け力が、そのまま糸巻きの緩み防止に反映される構造であった。
換言すると、この従来技術の場合は、ボルトの締め付け力だけで糸巻きの緩みを防止する構造のため、糸巻きを緩める力が、ボルトの締め付け力を超えると、直ちに糸巻きの緩め作用に反映された。
【０００５】
従って、この従来構造によると、糸巻きの緩みを確実に防止できない、という問題点があった。
【先行技術文献】
【特許文献】
【０００６】
【特許文献１】特開２００６−１５４６９４号公報
【考案の概要】
【考案が解決しようとする課題】
【０００７】
本考案は、このような従来技術の問題点に鑑み、提案されたものである。
従って本考案の解決しようとする技術的課題は、糸巻きの緩みを、確実に防止できるよう形成した三味線の糸巻きの緩み止め構造を提供することにある。
【課題を解決するための手段】
【０００８】
本考案は、上記の課題を解決するため、次のような技術的手段を採る。
即ち、本考案は、図１等に示されるように、糸巻き１の先端の側からネジ２が糸巻き１の軸方向に沿って締め込まれて棹３に糸巻き１が固定される三味線４の糸巻き１の緩み止め構造であって、糸巻き１の先端の側に、糸巻き１の軸方向に沿って棒状のナット５が埋め込まれ、上記のネジ２がネジ頭２ａの内側にクッション部６を備えて形成され、このクッション部６を介してネジ２が棹３の外側面部にネジ頭２ａを密着させて上記のナット５に締め込まれることを特徴とする（請求項１）。
【０００９】
ここで、クッション部６とは、弾発力をきかせてネジ頭２ａを棹３の外側面部に密着させることのできる部材や機構を意味する。三味線４は、図１、図４、図５等に示されるように、糸巻き１の差込穴３ａに、補強と装飾を兼ねた筒形状金具７が嵌め込まれることが多い。従って、ここで、棹３の外側面部には、この種の金具７の外部に露出する環状の鍔状部７ａも含まれる。
【００１０】
而して本考案は、クッション部６の弾性が調節可能に形成されているのが好ましい（請求項２）。
なぜならこれによると、ネジ２の締め付け力を適宜加減でき、使い勝手が一層良くなるからである。
【００１１】
また本考案は、クッション部６が、ネジ頭２ａの内面側に配置されるバネ６ａと、このバネ６ａの弾発力を受ける座金状の受け板６ｂと、ネジ２の軸２ｂに螺合され、受け板６ｂをネジ２の軸２ｂに沿って移動させてバネ６ａの弾発力を調節するためのナット状部材６ｃとで形成されているのが好ましい（請求項３）。
なぜならこれによると、クッション部６の弾発力を、ナット状部材６ｃを締め付けたり緩めたりすることで、簡単、迅速に調節できるからである。
【考案の効果】
【００１２】
本考案は、このように糸巻きの先端の側に、糸巻きの軸方向に沿って棒状のナットが埋め込まれ、ネジがネジ頭の内側にクッション部を備え、このクッション部を介してネジが棹の外側面部にネジ頭を密着させて上記のナットに締め込まれることを特徴とする。
【００１３】
従って、本考案の場合は、ネジの締め付け力にクッション部の弾発力が加わるため、これによれば、ネジの締め付け力とクッション部の弾発力との相乗作用により、糸巻きの緩みを確実に防止できる。
【図面の簡単な説明】
【００１４】
【図１】本考案構造の好適な一実施形態を示し、Ａは要部断面図、Ｂは要部拡大断面図である。
【図２】三味線の正面図である。
【図３】三味線の要部正面図である。
【図４】三味線の要部左側面図である。
【図５】三味線の要部右側面図である。
【図６】本考案構造の要部斜視図である。
【図７】本考案構造の要部断面図である。
【考案を実施するための形態】
【００１５】
以下、本考案を実施するための好適な一実施形態を、添付図面に従って説明する。
本考案は、図１等に示されるように、糸巻き１の先端の側からネジ２が糸巻き１の軸方向に沿って締め込まれて棹３に糸巻き１が固定される三味線４の糸巻き１の緩み止め構造である。
【００１６】
５は、棒状のナットである。この棒状のナット５は、糸巻き１の先端の側に、糸巻き１の軸方向に沿って埋め込まれている。この棒状のナット５は、この実施形態では長さが２５ｍｍに選定され、糸巻き１の軸心に糸巻き１と同心状に形成されている丸穴１ａ（図６、図７参照）に埋め込まれている。
【００１７】
また本考案の場合、上記のネジ２は、ネジ頭２ａの内側にクッション部６を備えて形成されている。ネジ２は、このクッション部６を介して棹３の外側面部に、ネジ頭２ａを密着させて上記のナット５に締め込まれるものである。
【００１８】
上記のクッション部６は、この実施形態ではその弾性が調節可能に形成されている。クッション部６は、具体的には、図１、図６、図７に示されるように、ネジ頭２ａの内面側に配置されるバネ６ａと、このバネ６ａの弾発力を受ける座金状の受け板６ｂと、ネジ２の軸２ｂに螺合され、受け板６ｂをネジ２の軸２ｂに沿って移動させてバネ６ａの弾発力を調節するためのナット状部材６ｃとで形成されている。
【００１９】
この実施形態の場合、上記のネジ頭２ａは、内面が凹段差状に凹まれ、図１Ｂ、図７に示されるように、バネ６ａの収納部２ａ１を備えて形成されている。バネ６ａは、この実施形態では環状の板バネで形成されている。
【００２０】
糸巻き１の差込穴３ａ（図１、図４等参照）は、糸巻き１の外周面との磨耗を防止できるよう、ブシュ状の金属製筒状金具７を備えて形成されている。この実施形態の場合、ネジ頭２ａは、この金具７の外面に露出する鍔状部７ａに密着される。
【００２１】
次に、この実施形態の本考案の作用を説明する。
使用者は、クッション部６の弾発力を、予めナット状部材６ｃの位置を変えて調節しておく。次に、使用者は、図１に示されるように、糸巻き１を棹３の差込穴３ａに差し込み、先端の側からネジ２を棒状のナット５に捻じ込む。
【００２２】
ネジ２が締め込まれ、ネジ頭２ａが棹３の外側面部（この実施形態では金属製筒状金具７の鍔状部７ａ）に当たった状態で、使用者がバネ６ａの弾発力に抗して更に締め込むと、ネジ頭２ａが棹３の外側面部に密着される。これにより、糸巻き１は、ネジ２の締め付け力とクッション部６の弾発力とで棹３にきつく固定され、緩みが防止される。
【００２３】
以上の処において、本考案の場合、上記のクッション部６は、例えば単にゴム板やバネ座金等で形成されているのでも良く、上例に限定されるものではない。
【符号の説明】
【００２４】
１      糸巻き
２      ネジ
２ａ    ネジ頭
２ｂ    軸
３      棹
４      三味線
５      ナット
６      クッション部
６ａ    バネ
６ｂ    受け板
６ｃ    ナット状部材
【図１】
0003179173.tif 000003
【図２】
0003179173.tif 000004
【図３】
0003179173.tif 000005
【図４】
0003179173.tif 000006
【図５】
0003179173.tif 000007
【図６】
0003179173.tif 000008
【図７】
0003179173.tif 000009